【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
コンピュータネットワーク環境内であって、少なくとも１つのプロセッサを含むシンジケータコンピュータシステムにおいて、前記シンジケータコンピュータシステムが、少なくとも１つのシンジケーションパートナーに提案されたサービスを含むオンラインサービスバンドルに、シンジケーションパートナーにより特定された態様で、シンジケートする方法であって、
前記シンジケーションパートナーにより提供された１つまたは複数のオンラインサービス及び対応する使用情報に従い、シンジケーションパートナー及びクライアントにシンジケートされるサービスを提供するために確立されるシンジケーション関係が前記シンジケータのコンピュータシステムと前記シンジケーションパートナーとの間で確立されていることを前記シンジケータコンピュータシステムにより判定する動作と、
（１）前記シンジケータコンピュータシステムによって提供されるどの１つまたは複数のサービスがシンジケーションに使用可能であるのかを示す、使用可能サービス情報、及び、
（２）どのタイプの使用情報を、前記シンジケータパートナーが前記シンジケータコンピュータシステムのサービスを使用するために、前記シンジケータコンピュータシステムに提供されるべきなのかを示すインターフェース情報とを、
前記シンジケータコンピュータシステムにより前記シンジケータパートナーに提供する動作と、
前記シンジケータコンピュータシステムが前記シンジケータパートナーから（１）オンラインサービスと、（２）使用情報とを受信する動作であって、前記使用情報は、前記シンジケータコンピュータシステムの１つまたは複数のサービスのうち、どの１つまたは複数のサービスが、それら特定の１つまたは複数のサービスためのパラメータとともに、サービスバンドルとして、前記シンジケータにより受信される、前記シンジケーションパートナーのオンラインサービスと連動して、シンジケートされるべきなのかを特定し、前記パラメータは、前記特定の１つまたは複数のサービスの使用を特定する動作パラメータを含む、受信する動作と、
前記受信された使用情報に基づいて、前記受信された使用情報によって示された態様にて前記シンジケーションパートナーおよびクライアントの少なくとも１つに、前記シンジケーションパートナーのオンラインサービスを含む前記サービスバンドルを前記シンジケータコンピュータシステムにより提供する動作と
を含むことを特徴とする方法。
【請求項２】
前記シンジケータコンピュータシステム及び前記シンジケーションパートナーが、相互認証にて互いを認証して前記シンジケーション関係を確立することを特徴とする請求項１に記載の方法。
【請求項３】
前記シンジケーション関係は、信頼されたサードパーティを介して確立され、前記シンジケータコンピュータシステム及び前記シンジケーションパートナーの両方が前記信頼されたサードパーティによって認証されることを特徴とする請求項１に記載の方法。
【請求項４】
前記シンジケーションパートナーから更新された使用情報を前記シンジケータコンピュータシステムにより受信する動作と、
前記受信された更新使用情報に基づいて、前記受信された更新において提供されたいずれかの変更が前記確立されたシンジケーション関係に自動的に適用されるように前記シンジケーション関係を前記シンジケータコンピュータシステムにより更新する動作と
をさらに含むことを特徴とする請求項１に記載の方法。
【請求項５】
前記シンジケータコンピュータシステムが、前記シンジケータコンピュータシステムによって提供されてシンジケーションパートナーにシンジケートされ得るサービスの全ての一覧を維持することを特徴とする請求項１に記載の方法。
【請求項６】
前記シンジケータコンピュータシステムが、前記シンジケータコンピュータシステムと他のシンジケーションパートナーとの間で情報がどのように通信されるかを規定することを特徴とする請求項１に記載の方法。
【請求項７】
どのような通信問題が取り扱われ、または迂回させられるかを判定するために、通信の拡大ルール及び通信の代替経路が前記シンジケータコンピュータシステムによって規定されかつ有効にされることを特徴とする請求項１に記載の方法。
【請求項８】
前記シンジケーションパートナーが更新されかつ前記シンジケータコンピュータシステムの提供物へのいずれかの変更を認識するように、前記シンジケータコンピュータシステムと少なくとも１つのシンジケーションパートナーとを同期する動作をさらに含むことを特徴とする請求項１に記載の方法。
【請求項９】
前記シンジケータコンピュータシステムが、シンジケートされるサービスの各々に対してカスタマイズされているパートナー指定の請求スキームを実装可能な請求サービスを提供することを特徴とする請求項１に記載の方法。
【請求項１０】
前記シンジケータコンピュータシステムが、シンジケートされるサービスの各々に対して適切なサポートモデルを選択することを前記シンジケーションパートナーに可能とさせることを特徴とする請求項１に記載の方法。
【請求項１１】
前記シンジケータコンピュータシステムが、シンジケートされるサービスの各々に対して適切なサービス水準取り決めを選択することを前記シンジケーションパートナーに可能とさせることを特徴とする請求項１に記載の方法。
【請求項１２】
前記シンジケータコンピュータシステムが、シンジケートされるサービスの各々に対する適切なローカル規則に従ってジオアフィニティプリファレンスを選択することを前記シンジケーションパートナーに可能とさせることを特徴とする請求項１に記載の方法。
【請求項１３】
前記シンジケータコンピュータシステムが、シンジケートされるサービスの各々に対してブランド設定モデルを選択することを前記シンジケーションパートナーに可能とさせ、前記シンジケートされるサービスの各々が個別的にラベル付けされ得ることを特徴とする請求項１に記載の方法。
【請求項１４】
前記シンジケータコンピュータシステムのサービス提供物が、シンジケーションパートナーによる注文に対して提供されて、シンジケーションパートナーが様々なシンジケータ提供物に契約可能であることを特徴とする請求項１に記載の方法。
【請求項１５】
前記シンジケータコンピュータシステムが、前記シンジケーションパートナーのシンジケートされるサービスを提供するために、前記シンジケータコンピュータシステムのコンピュータリソースの一部を確保することを特徴とする請求項１に記載の方法。
【請求項１６】
前記シンジケータコンピュータシステムが、前記シンジケーションパートナーのシンジケートを受ける者とともに、前記シンジケーションパートナーに前記サービスバンドルも提供することを特徴とする請求項１に記載の方法。
【請求項１７】
前記シンジケータコンピュータシステムが、前記シンジケーションパートナーのクライアントとともに、前記シンジケーションパートナーに前記サービスバンドルも提供することを特徴とする請求項１に記載の方法。
【請求項１８】
前記使用情報が前記オンラインサービスのためのパラメータも特定し、前記パラメータが前記オンラインサービスの前記使用を特定する動作パラメータを示すことを特徴とする請求項１に記載の方法。
【請求項１９】
前記シンジケータコンピュータシステムが、サービスバンドルに対してブランド設定モデルを選択することを前記シンジケーションパートナーに可能とさせ、
前記ブランド設定が前記サービスバンドルの一部として、シンジケートされたいくつかのサービスが前記シンジケーションパートナーにより所有されず、開発されないことを示すことを特徴とする請求項１に記載の方法。
【請求項２０】
コンピュータネットワーク環境内で、少なくとも１つのシンジケーションクライアントにサービスバンドルをシンジケートするシンジケータコンピュータシステムにおいて、
１つまたは複数のプロセッサと、
システムメモリと、
前記シンジケータコンピュータシステムと複数の異なったシンジケーションパートナーとの間のシンジケーション関係を確立するサービス配信プラットフォームであって、前記シンジケーション関係は、シンジケーションパートナー及びクライアントにシンジケートされるサービスが提供されるために確立され、シンジケーション関係の各々は、シンジケーションパートナーの各々によって前記シンジケータコンピュータシステムに提供されるメタデータを用いて確立される、サービス配信プラットフォームと、
単一のアクセスポイントを介して前記シンジケータコンピュータシステムと前記複数のシンジケーションパートナーの各々を一体化する仲介プラットフォームとを含み、
前記一体化が、
前記シンジケーション関係を介してシンジケートされるサービスを管理するビルトインサービスを含む前記シンジケータコンピュータシステムによって提供される１つまたは複数のオンラインサービスの一覧リストを提供する動作と、
前記シンジケーションパートナーの少なくとも１つからの指示とともに、パートナーに提供されたオンラインサービスを受信する動作であって、前記指示は、
前記シンジケータコンピュータシステムの１つまたは複数のオンラインサービスのどの特定の１つまたは複数のオンラインサービスが前記パートナーに提供されたオンラインサービスに接続されてシンジケートされるべきなのかを示し、さらに前記特定の１つまたは複数のオンラインサービスを提供する１つまたは複数のパラメータを示すメタデータを含む、受信する動作と、
前記メタデータ内に示された前記特定の１つまたは複数のオンラインサービスを前記パートナーに提供されたオンラインサービスに沿って、前記シンジケーションパートナー及びクライアントの少なくとも１つのシンジケーションパートナーに提供する動作とを含み、
前記特定の１つまたは複数のオンラインサービスと前記パートナーに提供されたオンラインサービスが当該受信されたメタデータ内に含まれている前記パラメータに従ってサービスバンドルとして、少なくとも前記シンジケーションパートナーに提供されることを特徴とするシステム。
【請求項２１】
前記仲介プラットフォームが、前記メタデータで受信されたパラメータを変換するための変換ルールを前記シンジケータコンピュータシステムの対応するパラメータに提供して、前記シンジケータコンピュータシステムのデータフィールド内の前記パラメータが前記シンジケーションパートナーのデータフィールド内の前記パラメータに対応することを特徴とする請求項２０に記載のシステム。
【請求項２２】
前記サービス配信プラットフォーム及び前記仲介プラットフォームがモジュールであり、かつ同一のコンピュータシステムにおいて、異なったコンピュータシステムにおいてまたは分散型コンピュータシステムにおいて動作するように構成されることを特徴とする請求項２０に記載のシステム。
【請求項２３】
前記シンジケーションパートナーの少なくとも１つが、前記シンジケータコンピュータシステムによって提供されたサービスを、第２の異なったシンジケーションパートナーにシンジケートすることを特徴とする請求項２０に記載のシステム。
【請求項２４】
少なくとも１つのコンピュータプロセッサにより実行されたときに、シンジケータコンピュータシステムの少なくとも１つのシンジケーションパートナーの要求でシンジケーションクライアントにオンラインサービスバンドルをシンジケートする方法を実装するコンピュータ実行可能命令を記憶する１つまたは複数の物理記憶デバイスであって、前記方法は、
シンジケーションパートナーに提供されるオンラインサービスと、シンジケーションパートナーに供給される使用情報とに従い、少なくとも前記シンジケーションパートナーにシンジケートされるサービスを提供するために確立されるシンジケーション関係が前記シンジケータコンピュータシステムと前記シンジケーションパートナーとの間で確立されていることを前記シンジケータコンピュータシステムにより判定する動作と、
前記シンジケータコンピュータシステムによって提供されるどの１つまたは複数のサービスがシンジケーションに利用可能であるのか、及びどのタイプの使用情報が前記シンジケーションパートナーが前記シンジケータコンピュータシステムのサービスを使用するために前記シンジケータコンピュータシステムに提供されるべきなのか、を前記シンジケータコンピュータシステムが示す動作と、
シンジケーションパートナーに提供されるオンラインサービスとシンジケーションパートナーに供給される使用情報とを前記シンジケータコンピュータシステムが受信する動作であって、
前記シンジケーションパートナーに供給される使用情報は、前記サービスバンドルの使用に特有の動作パラメータを示すサービスバンドルに関するパラメータとともに、前記シンジケータコンピュータシステムの１つまたは複数のサービスがどの特定の１つまたは複数のサービスが、前記シンジケーションパートナーに提供されるオンラインサービスに接続されるべきか、及び、サービスバンドルとして、シンジケーションパートナーとクライアントにシンジケートされるべきなのかを特定する、受信する動作と、
前記受信された使用情報に基づいて、前記受信された使用情報によって示された態様にて少なくとも前記シンジケーションパートナーに前記サービスバンドルを前記シンジケータコンピュータシステムが提供する動作と
を含むことを特徴とする１つまたは複数の物理記憶デバイス。